(57)【要約】  【課題】  通信相手との円滑なコミュニケーションを実現することができる携帯電話装置を提供する。  【解決手段】  音声入力手段２に入力された音声を表す音声情報および文字列入力手段３に入力された文字列を相手側装置に送信する情報送信手段と、相手側装置から送信された音声情報および文字列を受信する情報受信手段と、受信された音声情報が表す音声を出力する音声出力手段８と、受信された文字列を表示する文字列表示手段９と、音声情報の送受信を行うか否かが選択される音声通信選択手段１２と、この選択の結果を表す音声通信選択情報を相手側装置に送信する音声通信選択情報送信手段と、相手側装置と文字列の送受信が可能であるか否かを判断するデータチャネル判断手段１４と、この判断の結果を表すデータ通信可否情報および相手側装置より送信された音声通信選択情報を出力する通信可否情報出力手段１５とを備える。【選択図】  図１
2006254183.tif 000002
【特許請求の範囲】
【請求項１】
音声が入力される音声入力手段と、
文字列が入力される文字列入力手段と、
前記音声入力手段に入力された音声を表す音声情報および前記文字列入力手段に入力された文字列を通信相手側の装置に送信する情報送信手段と、
前記通信相手側の装置から送信された音声情報および文字列を受信する情報受信手段と、
前記情報受信手段に受信された音声情報が表す音声を出力する音声出力手段と、
前記情報受信手段に受信された文字列を表示する文字列表示手段と、
前記音声情報の送受信を行うか否かが選択される音声通信選択手段と、
前記音声通信選択手段によって選択された結果を表す音声通信選択情報を前記通信相手側の装置に送信する音声通信選択情報送信手段と、
前記通信相手側の装置と文字列の送受信が可能であるか否かを判断するデータチャネル判断手段と、
前記データチャネル判断手段による判断の結果を表すデータ通信可否情報および前記通信相手側の装置より送信された前記音声通信選択情報を出力する通信可否情報出力手段とを備えたことを特徴とする携帯電話装置。
【請求項２】
前記情報送信手段は、前記文字列を前記通信相手側の装置が受信できなかった場合には、前記文字列を前記通信相手側の装置に再送信することを特徴とする請求項１に記載の携帯電話装置。
【請求項３】
映像が入力される映像入力手段と、
映像が表示される映像表示手段とを備え、
前記情報送信手段は、前記映像入力手段に入力された映像を表す映像情報を送信し、
前記情報受信手段は、前記通信相手側の装置から送信された映像情報を受信することを特徴とする請求項１または請求項２に記載の携帯電話装置。
【請求項４】
前記映像表示手段は、前記データ通信可否情報が前記通信相手側の装置と文字列の送受信が可能であることを表す場合には、前記映像を表示する領域を縮小することを特徴とする請求項３に記載の携帯電話装置。
【請求項５】
前記音声出力手段は、前記音声情報の送受信を行わないと前記音声通信選択手段を介して選択された場合には、前記音声の出力を行わないことを特徴とする請求項１乃至請求項４の何れかに記載の携帯電話装置。
【請求項６】
前記情報送信手段は、前記音声情報を送信するための音声チャネルを介して前記音声情報を送信し、前記音声情報の送受信を行わないと前記音声通信選択手段を介して選択された場合には、前記音声チャネルに割り当てる帯域を他のチャネルに割り当てることを特徴とする請求項１乃至請求項５の何れかに記載の携帯電話装置。
【発明の詳細な説明】
【技術分野】
【０００１】
本発明は、携帯電話装置に関し、例えば、文字列等のような音声以外の情報も送受信する携帯電話装置に関するものである。
【背景技術】
【０００２】
従来の携帯電話装置は、図５に示すように、音声が入力される音声入力手段５１と、文字列が入力される文字列入力手段５２と、文字列を音声に変換する音声変換手段５３と、音声入力手段５１に入力された音声および音声変換手段５３によって変換された音声を変調する音声変調手段５４と、変調された音声を通信相手側の装置に送信するとともに通信相手側の装置から変調された音声を受信する通信手段５５と、通信手段５５によって受信された音声を復調する音声復調手段５６と、復調された音声を出力する音声出力手段５７と、音声を文字列に変換する文字列変換手段５８と、変換された文字列を表示する文字列表示手段５９とを備えることによって、映画館や公共交通車両内等のような通話が周囲に迷惑となる場所で、周囲に迷惑をかけずに通信相手側の装置と通信できるようにしていた（例えば、特許文献１および特許文献２参照）。
【特許文献１】特開２００２−３４４５７２号公報
【特許文献２】特開２００４−１２９１７４号公報
【発明の開示】
【発明が解決しようとする課題】
【０００３】
しかしながら、従来の携帯電話装置においては、通信相手から応答がない場合には、通信相手が意図的に応答していないのか、または通信状況が悪くて応答できないのか等のように通信相手の状況が分からないため、円滑なコミュニケーションを実現できないという問題があった。
【０００４】
本発明は、従来の問題を解決するためになされたもので、通信相手との円滑なコミュニケーションを実現することができる携帯電話装置を提供することを目的とする。
【課題を解決するための手段】
【０００５】
本発明の携帯電話装置は、音声が入力される音声入力手段と、文字列が入力される文字列入力手段と、前記音声入力手段に入力された音声を表す音声情報および前記文字列入力手段に入力された文字列を通信相手側の装置に送信する情報送信手段と、前記通信相手側の装置から送信された音声情報および文字列を受信する情報受信手段と、前記情報受信手段に受信された音声情報が表す音声を出力する音声出力手段と、前記情報受信手段に受信された文字列を表示する文字列表示手段と、前記音声情報の送受信を行うか否かが選択される音声通信選択手段と、前記音声通信選択手段によって選択された結果を表す音声通信選択情報を前記通信相手側の装置に送信する音声通信選択情報送信手段と、前記通信相手側の装置と文字列の送受信が可能であるか否かを判断するデータチャネル判断手段と、前記データチャネル判断手段による判断の結果を表すデータ通信可否情報および前記通信相手側の装置より送信された前記音声通信選択情報を出力する通信可否情報出力手段とを備えた構成を有している。
【０００６】
この構成により、本発明の携帯電話装置は、通信相手が音声情報の送受信を行える状況にあるか否かを通信可否情報出力手段によって利用者に把握させることができ、通信相手が音声情報の送受信を行える状況にない場合には、文字列による通信を行うことができるため、通信相手との円滑なコミュニケーションを実現することができる。
【０００７】
なお、前記情報送信手段は、前記文字列を前記通信相手側の装置が受信できなかった場合には、前記文字列を前記通信相手側の装置に再送信するように構成してもよい。
【０００８】
この構成により、本発明の携帯電話装置は、文字列による通信の信頼性を向上することができる。
【０００９】
また、本発明の携帯電話装置は、映像が入力される映像入力手段と、映像が表示される映像表示手段とを備え、前記情報送信手段は、前記映像入力手段に入力された映像を表す映像情報を送信し、前記情報受信手段は、前記通信相手側の装置から送信された映像情報を受信する構成を有している。
【００１０】
この構成により、本発明の携帯電話装置は、音声情報および文字列に加えて、映像情報を送受信するため、通信相手との円滑なコミュニケーションを実現することができる。
【００１１】
なお、前記映像表示手段は、前記データ通信可否情報が前記通信相手側の装置と文字列の送受信が可能であることを表す場合には、前記映像を表示する領域を小さくするように構成してもよい。
【００１２】
この構成により、本発明の携帯電話装置は、文字列の送受信を行う場合には、文字列の表示領域を広くとることができる。
【００１３】
また、前記音声出力手段は、前記音声情報の送受信を行わないと前記音声通信選択手段を介して選択された場合には、前記音声の出力を行わないように構成してもよい。
【００１４】
この構成により、本発明の携帯電話装置は、音声情報の送受信を行わないと選択された場合には、音声の出力を行わないため、通話が周囲に迷惑となる場所で使用することができる。
【００１５】
また、前記情報送信手段は、前記音声情報を送信するための音声チャネルを介して前記音声情報を送信し、前記音声情報の送受信を行わないと前記音声通信選択手段を介して選択された場合には、前記音声チャネルに割り当てる帯域を他のチャネルに割り当てるように構成してもよい。
【００１６】
この構成により、本発明の携帯電話装置は、音声情報を送受信しない場合には、音声情報を送信するための帯域を他のチャネルに割り当てるため、帯域を有効活用することができる。
【発明の効果】
【００１７】
本発明は、通信相手との円滑なコミュニケーションを実現することができる携帯電話装置を提供するものである。
【発明を実施するための最良の形態】
【００１８】
以下、本発明の実施の形態について、図面を参照して説明する。
【００１９】
なお、本実施形態においては、音声が入力されるマイクロホンと、文字列や所定の命令が入力されるキーボードやポインティングデバイス等の入力装置と、映像が入力されるカメラと、音声が出力されるスピーカと、映像、画像および文字列等を表示する液晶ディスプレイ等のモニタ装置と、発光ダイオード等の発光装置と、偏芯モータ等の振動装置と、通信相手側の装置（以下、単に「相手側装置」という。）と無線通信する無線通信モジュールと、ＲＡＭ（Random Access Memory）やＲＯＭ（Read Only Memory）等の記憶媒体と、記憶媒体に記憶されたプログラムやデータに基づいて動作するＣＰＵ（Central Processing Unit）とを有する携帯電話装置に本発明を適用した例について説明する。
【００２０】
本発明の一実施の形態の携帯電話装置を図１に示す。
【００２１】
携帯電話装置１は、マイクロホンによって構成された音声入力手段２と、入力装置によって構成された文字列入力手段３と、カメラによって構成された映像入力手段４と、無線通信モジュールおよびＣＰＵによって構成された通信手段５と、文字列入力手段３に入力された文字列および相手側装置から送信された文字列の履歴を表すチャット情報を生成するチャット手段７と、スピーカによって構成された音声出力手段８と、モニタ装置によって構成された文字列表示手段９および映像表示手段１０と、着信を報知する着信報知手段１１と、音声情報の送受信を行うか否かが選択される音声通信選択手段１２と、相手側装置と文字列の送受信が可能であるか否かを判断するデータチャネル判断手段１４と、データチャネル判断手段１４による判断の結果を表すデータ通信可否情報および相手側装置より送信された音声通信選択情報を出力する通信可否情報出力手段１５とを備えている。
【００２２】
ここで、通信手段５は、音声情報、文字列および映像情報を相手側装置に送信する情報送信手段と、相手側装置から送信された音声情報、文字列および映像情報を受信する情報受信手段とを構成する。
【００２３】
通信手段５は、図２に示すように、音声入力手段２に入力された音声を表す音声情報を符号化する音声符号化部２１と、文字列入力手段３に入力された文字列を符号化する文字列符号化部２２と、映像入力手段４に入力された映像を表す映像情報を符号化する映像符号化部２３と、符号化された音声情報、文字列および映像情報を多重化する多重化部２４と、多重化された信号を相手側装置と送受信する無線通信部２５と、相手側装置から多重化されて送信された信号を音声情報、文字列および映像情報に分離する分離部２６と、音声情報を復号する音声復号部２７と、文字列を復号する文字列復号部２８と、映像情報を復号する映像復号部２９と、多重化部２４、無線通信部２５および分離部２６を制御する通信制御部３０とを有している。
【００２４】
ここで、音声情報、文字列および映像情報を相手側装置と送受信する経路を、以下それぞれ音声チャネル、データチャネルおよび映像チャネルと記載する。
【００２５】
通信制御部３０は、ＣＰＵによって構成され、相手側装置に対する発信および相手側装置からの着信時に、接続に関連する情報（以下、単に「接続関連情報」という。）を相手側装置と無線通信部２５を介して相互に送受信することによって合意するようになっている。
【００２６】
例えば、通信制御部３０は、音声チャネル、データチャネルおよび映像チャネルの各チャネルに割り当てる帯域を相手側装置と無線通信部２５を介して合意し、多重化部２４および分離部２６は、通信制御部３０によって相手側装置と合意された帯域に従って、各チャネルの情報をそれぞれ多重化および分離するようになっている。
【００２７】
ここで、通信制御部３０は、音声チャネルに帯域を割り当てないことが相手側装置と合意された場合には、音声チャネルに割り当てる帯域を映像チャネル等の他のチャネルに割り当てるようにしてもよい。
【００２８】
また、通信制御部３０は、相手側装置との通信時に、相手側装置から送信された情報に応じて多重化部２４、無線通信部２５および分離部２６を制御するようになっている。例えば、通信制御部３０は、データチャネルを介して文字列を相手側装置が受信できなかった場合には、文字列を相手側装置に再送信するよう多重化部２４を制御するようになっている。
【００２９】
図１において、音声出力手段８は、相手側装置から送信された音声を出力するようになっている。なお、ヘッドホン等の外部装置を接続する外部出力端子とスピーカとによって音声出力手段８を構成し、音声出力手段８は、この端子を介して音声情報を外部装置に出力するようにしてもよい。
【００３０】
文字列表示手段９は、チャット手段７によって生成されたチャット情報を表示するようになっている。また、映像表示手段１０は、映像入力手段４によって入力された映像および相手側装置から送信された映像を表示するようになっている。
【００３１】
着信報知手段１１は、スピーカに音声を出力させる音声報知、発光装置を発光させる発光報知、および振動装置を作動させる振動報知のうち少なくとも１つの報知を着信時に行うようになっている。
【００３２】
音声通信選択手段１２は、入力装置によって構成され、利用者が映画館や公共交通車両内等のような通話が周囲に迷惑となる場所にいる場合等のように、音声通話ができない状況にあると利用者が判断した場合に、音声情報の送受信を行わないと利用者によって選択される。
【００３３】
ここで、音声通信選択手段１２によって音声情報の送受信を行わないと選択された場合には、着信報知手段１１は、着信時に音声報知を行わず、発光報知および振動報知のうち少なくとも１つの報知を行うようになっている。
【００３４】
また、音声通信選択手段１２によって音声情報の送受信を行わないと選択された場合には、音声出力手段８は、通信時に音声を出力しないようになっている。なお、音声出力手段８が外部出力端子によって構成される場合には、音声出力手段８は、音声通信選択手段１２の選択によらずに外部出力端子を介して音声情報を出力するように構成する。
【００３５】
音声通信選択手段１２による選択の結果を表す音声通信選択情報は、図２に示した通信制御部３０によって相手側装置と合意される接続関連情報に含まれる。すなわち、通信手段５は、音声通信選択手段１２によって選択された結果を表す音声通信選択情報を相手側装置に送信する音声通信選択情報送信手段を構成する。
【００３６】
データチャネル判断手段１４は、ＣＰＵによって構成され、データチャネルが有効であるか否かを通信制御部３０によって相手側装置と合意された接続関連情報に基づいて判断するようになっている。
【００３７】
通信可否情報出力手段１５は、モニタ装置によって構成されている。例えば、通信可否情報出力手段１５に出力されたデータ通信可否情報が相手側装置と文字列の送受信が可能であることを示し、相手側装置より送信された音声通信選択情報が音声の送受信を行わないことを示す場合には、利用者は、通信相手と音声によって通信することはできないが、文字列によって通信することが可能であることを把握することができる。
【００３８】
以上のように構成された携帯電話装置１において、図３および図４を用いてその動作を説明する。図３は、携帯電話装置１の発信動作を説明するためのフロー図である。
【００３９】
まず、利用者によって相手側装置に対する発信の要求が入力装置を介して入力され（Ｓ１）、相手側装置で発信に対する応答が行われると（Ｓ２）、音声通信選択情報を含む接続関連情報が、通信制御部３０によって相手側装置と合意される（Ｓ３）。
【００４０】
ここで、相手側装置と合意された接続関連情報に基づいてデータチャネルが有効であるか否かがデータチャネル判断手段１４によって判断され（Ｓ４）、この判断結果と相手側装置より送信された音声通信選択情報とが通信可否情報出力手段１５に出力される（Ｓ５）。
【００４１】
次に、通信制御部３０によって相手側装置と合意された接続関連情報に基づいて、音声チャネル、データチャネルおよび映像チャネルの各チャネルの帯域が変更される（Ｓ６）。
【００４２】
図４は、携帯電話装置１の着信動作を説明するためのフロー図である。
【００４３】
まず、相手側装置より着信の要求が無線通信部２５に受信されると（Ｓ１１）、着信報知手段１１によって着信が報知される（Ｓ１２）。
【００４４】
ここで、利用者によって着信の応答が入力装置を介して入力されると（Ｓ１３）、音声通信選択情報を含む接続関連情報が、通信制御部３０によって相手側装置と合意される（Ｓ１４）。
【００４５】
次に、相手側装置と合意された接続関連情報に基づいてデータチャネルが有効であるか否かがデータチャネル判断手段１４によって判断され（Ｓ１５）、この判断結果と相手側装置より送信された音声通信選択情報とが通信可否情報出力手段１５に出力され（Ｓ１６）、通信制御部３０によって相手側装置と合意された接続関連情報に基づいて、音声チャネル、データチャネルおよび映像チャネルの各チャネルの帯域が割り当てられる（Ｓ１７）。
【００４６】
このように相手側装置との接続が確立すると、通信制御部３０によって相手側装置と合意された接続関連情報に従って、音声入力手段２に入力された音声を表す音声情報、文字列入力手段３に入力された文字列および映像入力手段４に入力された映像を表す映像情報が、通信手段５を介して相手側装置と送受信される。
【００４７】
このような本発明の一実施の形態の携帯電話装置１によれば、通信相手が音声情報の送受信を行える状況にあるか否かを通信可否情報出力手段１５によって利用者に把握させることができ、通信相手が音声情報の送受信を行える状況にない場合には、文字列による通信を行うことができるため、通信相手との円滑なコミュニケーションを実現することができる。
【００４８】
なお、本発明の一実施の形態の携帯電話装置１において、映像表示手段１０は、データ通信可否情報が相手側装置と文字列の送受信が可能であることを表す場合には、映像を表示する領域を縮小するようにしてもよい。
【００４９】
具体的には、映像表示手段１０は、モニタ装置の画面に文字列表示手段９によってチャット情報が表示される領域が広く取れるよう、映像入力手段４によって入力された映像の表示を止めるようにしてもよく、相手側装置から送信された映像を縮小して表示するようにしてもよい。
【００５０】
これにより、携帯電話装置１は、過去に行われた文字列の送受信の履歴をより多く表示することができる。
【産業上の利用可能性】
【００５１】
以上のように、本発明にかかる携帯電話装置は、通信相手との円滑なコミュニケーションを実現することができるという効果を有し、例えば、文字列等のような音声以外の情報も送受信する携帯電話装置等として有用である。
【図面の簡単な説明】
【００５２】
【図１】本発明の一実施の形態における携帯電話装置のブロック図
【図２】本発明の一実施の形態における携帯電話装置を構成する通信手段のブロック図
【図３】本発明の一実施の形態における携帯電話装置の発信動作を説明するためのフロー図
【図４】本発明の一実施の形態における携帯電話装置の着信動作を説明するためのフロー図
【図５】従来の携帯電話装置のブロック図
【符号の説明】
【００５３】
１  携帯電話装置
２、５１  音声入力手段
３、５２  文字列入力手段
４  映像入力手段
５、５５  通信手段
７  チャット手段
８、５７  音声出力手段
９、５９  文字列表示手段
１０  映像表示手段
１１  着信報知手段
１２  音声通信選択手段
１４  データチャネル判断手段
１５  通信可否情報出力手段
２１  音声符号化部
２２  文字列符号化部
２３  映像符号化部
２４  多重化部
２５  無線通信部
２６  分離部
２７  音声復号部
２８  文字列復号部
２９  映像復号部
３０  通信制御部
５３  音声変換手段
５４  音声変調手段
５６  音声復調手段
５８  文字列変換手段
【図１】
2006254183.tif 000003
【図２】
2006254183.tif 000004
【図３】
2006254183.tif 000005
【図４】
2006254183.tif 000006
【図５】
2006254183.tif 000007